(57)【特許請求の範囲】
【請求項１】
開閉可能な側部扉を有する荷室付きの貨物自動車と、
前記荷室に収容可能な可搬性を有するシェルターと、
を備え、
前記シェルターは、前記荷室から搬出されて前記荷室の側方に設置可能であり、
前記荷室内は、前後方向に設けられた仕切壁によって、開閉可能な側部扉側の第１の区画と、開閉可能な側部扉に対向する壁面側の第２の区画と、に区分されており、
前記貨物自動車は、前記荷室の背面に、上下方向の軸線を中心として開閉可能な一対の背面扉を有しており、
開閉可能な側部扉側の背面扉は、前記仕切壁とほぼ面一に連続する位置まで開かれるようになっており、
開閉可能な側部扉に対向する壁面側の背面扉は、当該壁面とほぼ面一に連続する位置まで開かれるようになっている
ことを特徴とする仮設会場の設置構造。
【請求項２】
前記シェルターは、中空状の梁部を有し、その梁部が内部への空気の充填により自立して前記シェルターが設置されるようになっており、
前記シェルターは、浮き上がりを防止するために内部に水を蓄えて重量を増加させるウォーターウェイトを有しており、
ウォーターウェイトの水は、仮設会場の撤収時に捨てることが可能となっている
ことを特徴とする請求項１に記載の仮設会場の設置構造。
【請求項３】
前記荷室と前記シェルターとの間に前記側部扉の開閉に必要な隙間が生じるように前記シェルターは前記荷室から離して設置可能であり、
前記荷室と前記シェルターとの間にはステージが設置可能であり、
前記側部扉は、開放された状態において、前記ステージの屋根として機能できる
ことを特徴とする請求項１または２に記載の仮設会場の設置構造。
【請求項４】
前記貨物自動車は、前記荷室の背面に、水平方向に延びるヒンジ軸を中心として回動可能なリフトプレートを有しており、
前記リフトプレートは、一対の背面扉に重なるようにして上下に延びる格納位置と、荷室の後方に引き出された使用位置と、の間で回動可能であると共に、使用位置に回動された状態において、荷室の床面と同一高さに調整可能となっている
ことを特徴とする請求項１乃至３のいずれかに記載の仮設会場の設置構造。
【請求項５】
前記シェルターの内部には複数の座席が設置されている
ことを特徴とする請求項１乃至４のいずれかに記載の仮設会場の設置構造。
【請求項６】
前記シェルターの前記荷室側の端部に講師台が設けられている
ことを特徴とする請求項１乃至５のいずれかに記載の仮設会場の設置構造。
【発明の詳細な説明】
【０００１】
【発明の属する技術分野】
本発明は、生ビールの取り扱い方法に関する講習等を行うための会場を適当な空き地に簡単に設けることができる仮設会場の設置構造に関する。
【０００２】
【従来の技術】
従来より、ビールの製造業界では料飲店や酒販売店、一般人を対象として生ビールやそのディスペンサーの取り扱いに関する知識の習得を目的とした講習会を開催している。この講習会の会場はビール工場等に恒久的な施設として設けられていた。
【０００３】
【発明が解決しようとする課題】
しかしながら、講習会場がビール工場等に限定されていると、遠隔地の受講者の負担が大きく、受講者の地域的分布に偏りが生じる。そこで、工場から離れた各地の倉庫、公共施設、駐車場等を利用して仮設会場を設置し、そこで一定期間講習会を開催することが望まれている。なお、特開平８−１５６６７６号公報にはビール等の飲料物のディスペンサーを貨物自動車に搭載した移動販売車が開示されているが、この移動販売車はイベント等の会場に出向いて飲料を販売するためのものであり、移動販売車の周囲は屋外に対して仕切がないいわゆるオープンスペースとして構成されている。そのようなオープンスペースは参加者の注意が散りやすく講習会等を開催する会場としては適当でない。
【０００４】
そこで、本発明は、講習会等の開催地域に出向いて多人数を収容可能な仮設会場を簡単に設置できる仮設会場の設置構造を提供することを目的とする。
【０００５】
【課題を解決するための手段】
以下、本発明について説明する。なお、本発明の理解を容易にするために添付図面の参照符号を括弧書きにて付記するが、それにより本発明が図示の形態に限定されるものではない。
【０００６】
請求項１の発明は、開閉可能な側部扉（１１）を有する荷室（１０）付きの貨物自動車（１）と、荷室（１０）に収容可能な可搬性を有するシェルター（４）とを備え、シェルター（４）は、荷室（１０）から搬出されて荷室（１０）の側方に設置可能であり、荷室（１０）内は、前後方向に設けられた仕切壁（１４）によって、開閉可能な側部扉（１１）側の第１の区画（Ｓ１）と、開閉可能な側部扉に対向する壁面側の第２の区画（Ｓ２）と、に区分されており、貨物自動車（１）は、荷室（１０）の背面に、上下方向の軸線を中心として開閉可能な一対の背面扉（１２ａ、１２ｂ）を有しており、開閉可能な側部扉側の背面扉（１２ａ）は、仕切壁（１４）とほぼ面一に連続する位置まで開かれるようになっており、開閉可能な側部扉に対向する壁面側の背面扉（１２ｂ）は、当該壁面とほぼ面一に連続する位置まで開かれるようになっていることを特徴とする。
【０００７】
この発明によれば、貨物自動車（１）を適当な空き地に停車し、荷室（１０）からシェルター（４）を搬出してその側方に設置することにより、荷室（１０）の側方の一定の空間を覆って仮設会場（Ａ）を構成することができる。シェルター（４）の内部は来場者を収容するスペースとして利用でき、荷室（１０）は来場者に対する展示や実演等を行う場所として利用できる。また、荷室を二つの区画に分けていることにより、来場者に対する展示や実演等を第１の区画（Ｓ１）にて行う一方、それらの準備等を第２の区画（Ｓ２）にて行うことができ、荷室（１０）の使い勝手が向上する。更に、一対の背面扉がそれぞれ開かれることにより、当該二つの区画をそれぞれ拡張して使用することができる。
【０００８】
請求項２の発明は、請求項１記載の仮設会場の設置構造において、シェルター（４）が中空状の梁部（４０）を有し、その梁部（４０）が内部への空気の充填によって自立することを特徴とする。また、シェルター（４）が、浮き上がりを防止するために内部に水を蓄えて重量を増加させるウォーターウェイト（４１）を有しており、ウォーターウェイト（４１）の水は、仮設会場の撤収時に捨てることが可能となっていることを特徴とする。
【０００９】
この発明によれば、シェルター（４）を荷室（１０）から搬出して荷室の側方に展開し、その梁部（４０）の内部に空気を充填するだけで梁部（４０）を自立させてシェルター（４）を設置できる。これにより仮設会場の設営に必要な時間が短縮される。また、シェルター（４）の浮き上がりを効果的に防止できる一方、運搬時のシェルター（４）の重量を軽減することができる。
【００１０】
請求項３の発明は、請求項１または２に記載の仮設会場の設置構造において、荷室（１０）とシェルター（４）との間に側部扉（１１）の開閉に必要な隙間が生じるようにシェルター（４）が荷室（１０）から離して設置され、荷室（１０）とシェルター（４）との間にはステージ（２）が設置され、側部扉（１１）が開放された状態においてステージ（２）の屋根として機能することを特徴とする。
【００１１】
この発明によれば、シェルター（４）を設置したまま必要に応じて側部扉（１１）を開閉することが可能となり、会場（Ａ）の使い勝手が向上する。例えば、夜間等で会場を使用しない間は盗難防止の観点から器材類（例えば１１３，１１５，１１６）を荷室（１０）に収容して側部扉（１１）を閉じ、会場を使用する際に側部扉（１１）を開いて器材類を適当な位置に設置する場合でもシェルター（４）は設置したままでよく、作業効率が向上する。また、荷室（１０）とシェルター（４）との間にはステージ（２，３）が設置され、荷室（１０）とシェルター（４）との間に一つの会場としての一体性や連続性が確保される。
【００１２】
請求項４の発明は、請求項１乃至３のいずれかに記載の仮設会場の設置構造において、貨物自動車（１）は、荷室（１０）の背面に、水平方向に延びるヒンジ軸（１３ａ）を中心として回動可能なリフトプレート（１３）を有しており、前記リフトプレート（１３）は、一対の背面扉（１２ａ、１２ｂ）に重なるようにして上下に延びる格納位置と、荷室（１０）の後方に引き出された使用位置と、の間で回動可能であると共に、使用位置に回動された状態において、荷室（１０）の床面（Ｆ）と同一高さに調整可能となっていることを特徴とする。
【００１３】
この発明によれば、一対の背面扉（１２ａ、１２ｂ）が開かれることによって拡張される部分の床面を、極めて容易に形成することができる。
【００１４】
請求項５の発明は、請求項１乃至４のいずれかに記載の仮設会場の設置構造において、シェルター（４）の内部には複数の座席（１１４…）が設置されていることを特徴とする。
【００１５】
この発明によれば、来場者に着席場所を提供して講習会等に適した環境を構成できる。
【００１６】
請求項６の発明は、請求項１乃至５のいずれかに記載の仮設会場の設置構造において、シェルター（４）の荷室（１０）側の端部に講師台（１１２）が設けられていることを特徴とする。
【００１７】
この発明によれば、シェルター（４）内からみて講師台（１１２）の背後に荷室（１０）が位置するので、その荷室（１０）を利用して各種の展示や実演等を行いつつ講習等を進めることができる。
【００１８】
【発明の実施の形態】
図１〜図３は本発明により生ビールの講習会場を設置した実施形態を示すものであり、図１は側面図、図２は平面図、図３は正面図である。これらの図に示したように、仮設会場Ａは、貨物自動車１と、その左側方に設置されたメインステージ２およびサブステージ３と、その左側方に設置されたシェルター４とを組み合わせて概略構成されている。
【００１９】
貨物自動車１は箱形の荷室１０を有しており、その荷室１０の左側面には上方に跳ね上げ可能な側部扉１１が設けられる。図４および図５にも示したように、荷室１０の背面には、上下方向の軸線を中心として開閉可能な一対の背面扉１２ａ，１２ｂと、水平方向に延びるヒンジ軸１３ａ（図４参照）を中心として回動可能なリフトプレート１３とが設けられる。リフトプレート１３は、背面扉１２ａ，１２ｂに重なるようにして上下に延びる格納位置と、荷室１０の後方に水平に引き出された使用位置との間で回動し、その使用位置では不図示の昇降機構により上下に昇降駆動可能である。なお、図４は貨物自動車１の右側面図、図５は側部扉１１を閉じた状態での平面図である。
【００２０】
荷室１０の内部には前後方向に延びる仕切壁１４が設けられ、その仕切壁１４により荷室１０の内部が第１の区画Ｓ１および第２の区画Ｓ２に仕切られている。上述した背面扉１２ａ，１２ｂはそれぞれ第１の区画Ｓ１および第２の区画Ｓ２を開閉するよう設けられている。仕切壁１４の後端にはドア１５が設置され、そのドア１５を開くことにより両区画Ｓ１，Ｓ２の間を行き来することができる。第２の区画Ｓ２には、講習に使用する器材として、音響機器を収容するＰＡラック１００、発電器１０１、作業テーブル１０２、シンク１０３および冷蔵庫１０４が設けられている。これらの器材は定位置に固定してよい。
【００２１】
会場の設営時には側部扉１１が上方に跳ね上げられ、リフトプレート１３が水平位置に引き出され、背面扉１２ａが仕切壁１４とほぼ面一に連続する位置まで開かれる。リフトプレート１３は荷室１０の床面Ｆと同一高さに保持され、その側縁には荷室１０へ乗り込むためのステップ１６が掛けられる。第１の区画Ｓ１の床面Ｆには、一対のビールディスペンサ１０５，１０５とディスプレイ１０６とが設置される。仕切壁１４はロゴマーク等を表示したプレート１０７等を設置するための装飾面として利用される。背面扉１２ａの壁面にはグラフィックパネル１０８が設置される。側部扉１１の下縁には装飾用の垂れ幕１０９，１１０が設置され、その内側に荷室１０の内部やステージ２，３を照らすための照明器具１１１が取り付けられる。
【００２２】
メインステージ２は、会場の設営面（貨物自動車１が停止する面）Ｇ上に設置される折り畳み可能な脚部２１と、その脚部２１の上端に設置される床板２２とを有している。床板２２は荷室１０の前後方向（図２の左右方向）のほぼ全長に亘って設けられ、その高さは荷室１０の床面Ｆとほぼ面一に設定される。メインステージ２の端部にはステップ２３が設置される。床板２２の前縁には脚部２１を隠すための垂れ幕２４が取り付けられる。脚部２１、床板２２およびステップ２３は相互に分離して荷室１０に収容可能である。
【００２３】
サブステージ３はメインステージ２よりも一段低く設置され、その長さはメインステージ２よりも短く設定される。サブステージ３の上面には講師台１１２および自立式のホワイトボード１１３がそれぞれ設置される。サブステージ３、講師台１１２およびホワイトボード１１３はいずれも荷室１０内に収容可能な大きさである。
【００２４】
シェルター４は気密性および防水性を備えたシート材（例えばポリエステル織物）にて上下面４０ａ，４０ｂを形成し、その上下面４０ａ，４０ｂを多数のリブ状の隔膜４０ｃ…でつないで多数の中空の梁部４０…を形成し、それらの梁部４０…に不図示の送風機から空気を充填してアーチ状に自立させることにより一定の空間を覆う隔壁構造を形成する公知のものである。梁部４０の空気を抜き取って折り畳むことにより、シェルター４も荷室１０に収容可能である。シェルター４の両側にはその浮き上がりを防止するための多数のウェイト４１…が設置される。ウェイト４１には内部に水を蓄えて重量を増加させるウォーターウェイトが用いられており、会場の撤収時には水を捨ててウェイト４１の重量を軽減し、荷室１０に容易に搬入することができる。
【００２５】
シェルター４の荷室１０側の端部には開口部４２が形成され、その開口部４２を介してシェルター４の内部からステージ２，３および荷室１０の第１の区画Ｓ１を見通すことができる。シェルター４の内部には講師台１１２と向かい合うようにして多数の座席１１４…が設置される。そして、講師台１１２からみて最前列の座席１１４の両側には自立式の大型テレビモニター１１５，１１５がそれぞれ設置される。また、メインステージ２の両側には自立式のスピーカ１１６，１１６がそれぞれ設置される。これら座席１１４、テレビモニター１１５およびスピーカ１１６もすべて荷室１０内に収容できる。
【００２６】
以上の構成によれば、講習会の開催地域の適当な空き地に貨物自動車１を停車してジャッキ１７…（図４参照）によりその安定性を確保し、側部扉１１、背面扉１２ａおよびリフトプレート１３を所定位置に移動させ、ステージ２，３を荷室１０に隣接して設置するとともに、シェルター４を搬出してその梁部４０に空気を送り込み、その側面をウェイト４１にて設営面Ｇ上に固定することで仮設会場Ａの設営を概略終了することができる。そして、講師台１１２、ホワイトボード１１３、座席１１４等の器材を荷室１０から搬出して所定位置にセットすれば仮設会場Ａの設置が完了する。
【００２７】
シェルター４と荷室１０との間にステージ２，３が配置されて両者が離されているため、シェルター４を設置したまま側部扉１１を開閉できる。従って、会場を使用しない夜間等はテレビモニター１１５，スピーカ１１６等を荷室１０に一時的に搬入し、側部扉１１を閉じてその盗難を防止することもできる。
【００２８】
会場Ａの撤去時には、メインステージ２、サブステージ３、シェルター４、さらには荷室１０外に設置された器材（講師台１１２、ホワイトボード１１３、座席１１４、テレビモニター１１５、スピーカ１１６）をすべて片付けて荷室１０に収容し、次の開催地に向けて貨物自動車１を自走させることができる。これにより、各地で講習会を開催できる。なお、荷室１０にビールディスペンサ１０５を搭載しているので、各地でビールの販売を行うこともできる。
【００２９】
本発明は上述した実施形態に限定されることなく、種々の形態にて実施できる。例えば、ステージ２，３の一部または両者を省略して荷室１０上に講師台１１２等を設けてもよい。シェルター４は荷室１０に搭載可能な可搬性を有するものであれば適宜置換可能であり、例えば支柱を利用して設置するテント等を利用してもよい。器材１００〜１１６の種類やその配置は種々変更可能である。本発明はビールの取り扱い方に関する講習会場に限らず、各種のイベントや発表を行う会場としても利用できる。
【００３０】
【発明の効果】
以上に説明したように、本発明によれば、貨物自動車を適当な空き地に停車してその荷室の側方の一定の空間をシェルターにて覆うことにより、来場者を収容するための外部から仕切られたスペースと、来場者と対面して実演等を行う場所とを備えた会場を簡単に設置でき、講習会等のイベントを各地で手軽に開催することが可能となる。そして、荷室を二つの区画に分けていることにより、来場者に対する展示や実演等を第１の区画にて行う一方、それらの準備等を第２の区画にて行うことができ、荷室の使い勝手が向上する。更に、一対の背面扉がそれぞれ開かれることにより、当該二つの区画をそれぞれ拡張して使用することができる。
【図面の簡単な説明】
【図１】本発明の一実施形態に係る仮設会場の側面図。
【図２】図１の仮設会場の平面図。
【図３】図１の仮設会場の正面図。
【図４】図１の仮設会場で使用する貨物自動車の右側面図。
【図５】図４の貨物自動車の平面図。
【符号の説明】
１  貨物自動車
２  メインステージ
３  サブステージ
４  シェルター
１０  荷室
１１  側部扉
１２ａ，１２ｂ  背面扉
１４  仕切壁
４０  梁部
４２  開口部
１０１発電器
１０２  作業テーブル
１０３  シンク
１０４  冷蔵庫
１０５  ビールディスペンサ
１０６  ディスプレイ
１１１  照明器具
１１２  講師台
１１４  座席
１１５  大型テレビモニター
１１６  スピーカ
Ｓ１  第１の区画
Ｓ２  第２の区画
【図１】
0003904718.tif 000002
【図２】
0003904718.tif 000003
【図３】
0003904718.tif 000004
【図４】
0003904718.tif 000005
【図５】
0003904718.tif 000006